(57)【要約】【課題】    ヒップ下方の余り部分を取り除いて、ヒップにフィットした状態とし、後ろから見たときに、ヒップが下がって見えず、美しいシルエットが作れるズボンの製作方法を提供する。【解決手段】  ズボンの後身頃のパターンにおいて渡り線６と尻ぐり線４の交点Ｅ付近から斜め下方に向けてダーツを取ったような三角形状の重なり部△ＤＥ′Ｅ″が生じるように前記三角形状重なり部の左右の上部部分を作図上で移動させ、そして後身頃のパターンの輪郭線を引き直して、修正したズボンの後身頃パターンを作製し、後身頃パターンとズボンの前身頃パターンに基いて生地を裁断し、裁断した後身頃生地において重なり部に相当する箇所をアイロンで重なり部に相当する分量を伸ばし、伸ばした状態で左右の後身頃および前身頃の生地を縫製する。【選択図】  図３ 
2005220493.tif 000002
【特許請求の範囲】
【請求項１】
ズボンの後身頃のパターンにおいて渡り線と尻ぐり線の交点付近から斜め下方に向けてダーツを取ったような三角形状の重なり部が生じるように前記三角形状重なり部の左右の上部部分を作図上で移動させ、そして後身頃のパターンの輪郭線を引き直して、修正したズボンの後身頃パターンを作製し、該後身頃パターンとズボンの前身頃パターンに基いて生地を裁断し、該裁断した後身頃生地において前記重なり部に相当する箇所をアイロンで重なり部に相当する分量を伸ばし、該伸ばした状態で左右の後身頃および前身頃の生地を縫製することを特徴とするズボンの製作方法。
【請求項２】
ズボンの後身頃のパターンにおいて渡り線の下方に且つ平行に第１操作線を引き、渡り線と尻ぐり線の交点付近から前記第１操作線まで斜め下方に向かう第２操作線を引き、前記第１操作線より上方部分で前記第２操作線で左右となる部分を、それぞれ前記第１操作線と内股線の交点または前記第１操作線と脇線との交点を中心として内方に回転して、前記左右部分の第２操作線の箇所が三角形状に重なり合った重なり部が生じるにようし、そして後身頃のパターンの輪郭線を引き直して、修正したズボンの後身頃パターンを作製し、該後身頃パターンとズボンの前身頃パターンに基いて生地を裁断し、該裁断した後身頃生地において前記重なり部に相当する箇所をアイロンで重なり部に相当する分量を伸ばし、該伸ばした状態で左右の後身頃および前身頃の生地を縫製することを特徴とするズボンの製作方法。
【請求項３】
前記三角形状重なり部の短辺が１．５〜３．５ｃｍであることを特徴とする請求項２記載のズボンの製作方法。
【請求項４】
渡り線と第１操作線の間隔が６〜１０ｃｍであることを特徴とする請求項２または３記載のズボンの製作方法。
【請求項５】
左右の後身頃の尻ぐり縫目の箇所が２度縫いになっていることを特徴とする請求項１〜４のいずれか１項に記載のズボンの製作方法。
【発明の詳細な説明】
【技術分野】
【０００１】
本発明はズボンの製作方法に関するものであり、特に婦人用ズボンに適した製作方法に関するものである。
【背景技術】
【０００２】
従来、通常のパターン（型紙）によって製作したズボンは、ヒップ下方部分に図１（ａ）に示すように布地の余り（弛み）ａがあり、そのヒップ下方部分に皺が生じてしまう。このようにヒップ下方部分に布地の弛んだ部分が皺となって生じてしまうと、着用者のヒップが下がって見えてしまい足も短く見えてしまう。このような問題を解決するには、その布地の余り部分を図１（ｂ）に示すように、例えばピンｂで摘まんでしまえばズボンの脚部はすっきりした状態となる。図１（ｃ）は、ヒップ下方部分の布地の余り部分ａを除いたズボンの形状を示し、このようにすると足が長く見えるので、理想的なズボンとして要望されている。
【０００３】
そのため特開昭５６−８５４０３号公報（特許文献１）には、このようなヒップ下部の布地の余った部分を取ることが提案されている。この公報によれば、ズボンの後身頃において内側縫合線を通常のズボンのパターンにおけるよりも内側に大きく中凹みの弧状に形成するとともに、ヒップ線よりも下方に小股縫合線を位置させ、この小股縫合線をヒップ線より下方に向けて中凹み状態の弧状に形成して仕立てるようにしている。これによってヒップ下部の弛み部分を取ろうとすることが提案されている。
【０００４】
【特許文献１】特開昭５６−８５４０３号公報
【発明の開示】
【発明が解決しようとする課題】
【０００５】
前述した特許文献１に開示された技術によれば、ヒップ下方の布地の弛み部分は或る程度は取れるが、内股縫合線および小股縫合線が内方に向かって大きく中凹み状態の弧状であるために、図面で示されているように、その両者が交差する箇所が尖った形状となってしまう。このような形状であるため着用した際に、この尖った形状がズボンの内側に向かって突出したような状態となり、着用感が悪いものとなってしまう。このように内側縫合線を内方に大きく中凹みの弧状にしているため、これと縫合わせる前身頃の内股部分に無理が掛かった状態となっているため、アイロンで修正したとしても前身頃の内股部分には皺が表れてしまうという問題がある。
【０００６】
本発明はズボンの後身頃におけるヒップ下方の余り部分を取り除いて、ヒップにフィットした状態とし、これにより後ろから見たときに、ヒップが下がって見えず、美しいシルエットが作れるズボンの製作方法を提供することを目的とするものである。
【課題を解決するための手段】
【０００７】
本発明によれば、ズボンの後身頃のパターンにおいて渡り線と尻ぐり線の交点付近から斜め下方に向けてダーツを取ったような三角形状の重なり部が生じるように前記三角形状重なり部の左右の上部部分を作図上で移動させ、そして後身頃のパターンの輪郭線を引き直して、修正したズボンの後身頃パターンを作製し、該後身頃パターンとズボンの前身頃パターンに基いて生地を裁断し、該裁断した後身頃生地において前記重なり部に相当する箇所をアイロンで重なり部に相当する分量を伸ばし、該伸ばした状態で左右の後身頃および前身頃の生地を縫製することを特徴とするズボンの製作方法により前記目的を達成するものである。
【発明の効果】
【０００８】
本発明の製作方法によれば、ヒップ下部の余り部分を型紙において取り除いているとともに、裁断した後の布地をアイロンで伸ばして尻ぐり線の長さが元の標準の長さと同じようにしている。従って、その状態で縫製を行っているため、尻ぐり線の長さは元々予定される長さと同じであり、しかもヒップ下部の余り部分がなくなっているので、ヒップにぴったりとフィットし、足が長く見える綺麗なシルエットが得られるズボンを作製することができる。
【０００９】
本発明によれば、内股線の長さおよび尻ぐり線の長さはオリジナルの型紙で予定される長さと同じであるので、寸法的に予定した着用者の体型に合ったズボンを製作できる。また、内股線も通常の形状であるので、縫合わせる前身頃と従来と同様に容易に縫合わせることができる。
【発明を実施するための最良の形態】
【００１０】
図１（ａ）は従来の技法により製作したズボンの右足側を示す内股線側から見た側面図であり、前身頃２０と後身頃１０が縫合わされており、ヒップ下方に弛みａが生じている状態を示している。図１（ｂ）は図１（ａ）で示したズボンにおいて、弛みａをピンｂにより取り除いた状態を示しているものである。図１（ｃ）は図１（ｂ）に示したピンで止めた部分を除去した理想の形状を示すズボンであり、本発明の方法により得られるズボンの形状を示しているものである。
【００１１】
図２はズボンの右側部分を示す側面図であり、製作されたズボンにおけるヒップライン５、渡り線６および本発明における第１操作線７の位置を示している側面図である。
【００１２】
図３は本発明の方法によりズボンのパターンを作るための工程を示す説明図であり、後身頃１０の上部のみを図示している。図３（ａ）は従来から使用されている標準のパターンを示すものであり、符号１は脇線を示し、符号２は内股線を示している。符号３はクリースライン、符号４は尻ぐり線を示し、符号５はヒップライン、符号６は渡り線である。
【００１３】
前述したような各線は従来のパターンで使用されているものである。本発明によれば、渡り線６より下方に渡り線６平行に第１操作線７を引く。第１操作線７の位置はヒップの下方で余りが生じる箇所に対応するものであり、一般的なパターンでは渡り線６と第１操作線７との間の距離は６〜１０ｃｍで、好ましくは７〜８ｃｍ前後が適当である。この第１操作線７と脇線１との交点をＡ、内股線２との交点をＢとする。また、この第１操作線７の線分上でクリースライン３と内股線２との交点Ｂとの中間部分に点Ｃをとる。この図３（ａ）に示した実施例においては、その１／２の中心点を点Ｃとしているが、この点Ｃは中心点よりもクリースライン３寄り或いは内股線２寄りとしてもよい。
【００１４】
前記点Ｃから下方に点Ｄをとる。この点Ｄはヒップ下方の余りに相当するもので通常は１〜２ｃｍ程度とする。この点Ｄと前記点Ａおよび点Ｂとをそれぞれ線分８、線分９により結ぶ。
【００１５】
次に図３（ｂ）に示すように、尻ぐり線４と渡り線６との交点を点Ｅとする。なお、点Ｅは尻ぐり線４の上にあれば、必ずしも渡り線６との交点ではなく、その上下に位置する点でもよい。そしてこの点Ｅと点Ｃとの間を結ぶ第２操作線１１を引く。
【００１６】
次に図３（ｃ）に示すように、第１操作線７より上方の部分で第２操作線１１より右側の部分の輪郭線を点Ａを中心として反時計方向に回転させ、第１操作線７が線分８に一致させる。このようにすると第２操作線１１は１１′の位置に、点Ｅは点Ｅ′の位置に移動する。
【００１７】
そして図３（ｄ）に示すように、第１操作線７より上の部分で第２操作線１１より左側の部分を点Ｂを中心として第１操作線７が線分９に一致する状態になるまで時計方向に回転させる。このようにすると第２操作線１１は１１″の位置に、点Ｅは点Ｅ″の位置に移動する。このようにして、図３（ｅ）に示すように、図３（ａ）において点Ａ、Ｂ、Ｄにより囲まれるヒップ下方部分の弛みとなる部分が取り除かれている。また、第１操作線７より上の部分において第２操作線１１の箇所から右側および左側の部分をそれぞれ後身頃の内側に向って反時計方向および時計方向に動かしたことにより、図３（ｅ）に示すように点Ｄ、Ｅ′、Ｅ″で囲まれ三角形状の部分（△ＤＥ′Ｅ″）が重なり合った状態となり、このため新たな尻ぐり線４′は元のものよりも短い状態となっている。点Ｅ′、Ｅ″間の間隔は約１．５〜３ｃｍ程度のものとなり、好ましくは２ｃｍ以上である。
【００１８】
このように後身頃の上方部分を動かした後に新たに輪郭線を引き直したものが図３（ｆ）に示したものとなり、この本発明においてズボンの後身頃１０を作成するためのパターンとして使用されるものである。
【００１９】
図４（ａ）は前述したような方法により本発明の工程によって作図した後身頃１０のパターンを示しているものであり、図中に点線で表した線は第１操作線７、線分８、線分９、三角形状の部分（△ＤＥ′Ｅ″）を示している。また、図２におけるヒップライン５、渡り線６および第１操作線７の位置がパターン上どこに該当するかを示した。図４（ｂ）は元の標準的なパターンである前身頃２０のパターンである。これらのパターンに基いてズボンの生地を裁断する。
【００２０】
図５は図４（ａ）に示した本発明の方法における後身頃のパターンに基いて裁断した生地をクリースライン３に沿って２つ折りにした平面図であり、ズボンの上部のみを示しているものである。この生地においては図３（ｅ）に示したように点Ｄ、Ｅ′、Ｅ″で囲まれた三角形状の重なり部に相当する箇所が、必要とする長さよりも、短くなっているものである。このためアイロンをかけて三角形状の重なり部に相当する分量だけ生地を伸ばす。
【００２１】
伸ばし方としては、先ず図５（ｂ）に示すように、矢印Ｓ１方向にアイロンをかけて図３（ｅ）において点Ｄ、Ｅ′、Ｅ″で示された箇所に相当する部分を伸ばす。更に、図５（ｃ）に示すように、矢印Ｓ２方向にアイロンをかけて尻ぐり線の長さを必要とする長さまで１．５〜３．５ｃｍ伸ばす。このようにして、パターンの操作によって短くなった分量に相当する分量を伸ばすようにする。このようにすると、図５（ｄ）に示すように伸ばされたゆとり部ｃが生じ、このため尻ぐり線４は標準パターンにおける尻ぐり線と同様の寸法となる。なお、このアイロンがけにおける伸ばし量は目分量で行ってもよいし、より正確にするためにアイロン台にゲージなどを設けて、ゲージによって伸び量を決めてもよい。
【００２２】
このように左右両方の後身頃における尻ぐり線からヒップ下方の部分の生地を伸ばした状態として、従来と同様に左右の前身頃および後身頃の生地を縫製してズボンを製作する。この際、左右の後身頃の尻ぐり線は伸ばした状態で縫合わされるので、伸びた状態を維持できる。
【００２３】
伸ばした状態をより確実にするためには、図６（ａ）に示すように、左右の後身頃１０右、１０左を尻ぐり縫目４ａにて縫合せ、尻ぐり縫目４ａを縫った後に、図６（ｂ）に示すように縫代部を左右に割り、その上からミシンかけ４ｂで縫製してシック縫いを行うと、より伸ばした状態を維持し易くなる。なお、このようなシック縫いすることは必ずしも必要ではない。
【００２４】
本発明においては、婦人用のズボンなどのように柔らかな生地で、織り密度が紳士物の生地などに比較して少ないものに特に適している。
【００２５】
伸ばす分量は生地の素材にもよるが１．５〜３．５ｃｍであり、好ましくは２ｃｍ以上である。２ｃｍ以上であると弛みを取った部分の効果が明瞭に表れる。
【００２６】
本発明の方法によって図１（ｃ）に示すようなズボンが製作でき、このズボンを着用した者はヒップが上がって見えた。
【図面の簡単な説明】
【００２７】
【図１】図１（ａ）は従来の技法により製作したズボンの右足側を示す内股線側から見た側面図、図１（ｂ）は図１（ａ）で示したズボンにおいて、弛みａをピンｂにより取り除いた状態を示した側面図、図１（ｃ）は図１（ｂ）に示したピンで止めた部分を除去した理想の形状を示す側面図である。
【図２】ズボンの右側部分を示す側面図である。
【図３】本発明の方法によりズボンのパターンを作るための工程を示す説明図である。
【図４】図４（ａ）は本発明の工程によって作図した後身頃のパターンを示す平面図、図４（ｂ）は元の標準的なパターンである前身頃のパターンを示す平面図である。
【図５】本発明の方法におけるアイロンをかける手順を示す説明図である。
【図６】左右の後身頃の尻ぐり縫目付近を示す部分斜視図である。
【符号の説明】
【００２８】
ａ  ヒップ下方の余り
ｃ  伸ばされたゆとり部
１  脇線
２  内股線
４  尻ぐり線
６  渡り線
７  第１操作線
１１  第２操作線
Ｅ  渡り線と尻ぐり線との交点
△ＤＥ′Ｅ″  三角形状の重なり部
【図１】
2005220493.tif 000003
【図２】
2005220493.tif 000004
【図３】
2005220493.tif 000005
【図４】
2005220493.tif 000006
【図５】
2005220493.tif 000007
【図６】
2005220493.tif 000008